(57)【要約】      （修正有）【課題】質量分析を用いてサンプル中のエストラジオールの量を決定する方法を提供する。【解決手段】サンプル中のエストラジオールをイオン化する工程と、このイオンの量を検出および定量してこのサンプル中のエストラジオールの量を決定する工程とを含む。【選択図】図１
2020112562.tif 000002
【特許請求の範囲】
【請求項１】
試験サンプル中のエストラジオールの量を決定するための方法であって：
（ａ）前記試験サンプルを前記試験サンプル中に存在し得るタンパク質由来の遊離のエス
トラジオールに対して十分な量の試薬を用いて酸性にする工程と；
（ｂ）前記試験サンプルからエストラジオールを液体クロマトグラフィーによって精製す
る工程と；
（ｃ）前記試験サンプルから精製された前記エストラジオールをイオン化して、タンデム
型質量分析によって検出可能な１つ以上のイオンを生成する工程と：
（ｄ）前記エストラジオールイオン（単数または複数）の量をタンデム型質量分析によっ
て正のイオンモードで検出し、ここで前記エストラジオールイオン（単数または複数）の
量が前記試験サンプル中のエストラジオールの量に対して関連付けられる工程と、
を含む上記方法。
【請求項２】
前記前記液体クロマトグラフィーが高速液体クロマトグラフィー（ＨＰＬＣ）である、
請求項１に記載の方法。
【請求項３】
前記精製工程がさらに、高乱流液体クロマトグラフィー（ＨＴＬＣ）、続いて高速液体
クロマトグラフィー（ＨＰＬＣ）を含む、請求項１に記載の方法。
【請求項４】
前記エストラジオールイオンが、２７１．１４±０．５、２５５．０７±０．５、１８
３．１０±０．５、１５９．２０±０．５、１４５．１０±０．５および１３３．２０±
０．５の質量／電荷比を有するイオンからなる群より選択される１つ以上のイオンを含む
、請求項１〜３のいずれか１項に記載の方法。
【請求項５】
前記イオン化が、２７１．１４±０．５および２５５．０７±０．５の質量／電荷比を
有するイオンからなる群より選択される前駆イオンを生成する工程と、１８３．１０±０
．５、１５９．２０±０．５、１４５．１０±０．５、および１３３．２０±０．５の質
量／電荷比を有するイオンからなる群より選択される１つ以上の断片イオンを生成する工
程とを含む、請求項１〜３のいずれか１項に記載の方法。
【請求項６】
前記イオン化が、２７１．１４±０．５の質量／電荷比を有する前駆イオンを生成する
工程と、１８３．１０±０．５および１４５．１０±０．５の質量／電荷比を有するイオ
ンからなる群より選択される１つ以上の断片イオンを生成する工程とを含む、請求項１〜
３のいずれか１項に記載の方法。
【請求項７】
前記イオン化が、２７１．１４±０．５の質量／電荷比を有する前駆イオンを生成する
工程と、１８３．１０±０．５および１４５．１０±０．５の質量／電荷比を有する断片
イオンを生成する工程とを含む、請求項１〜３のいずれか１項に記載の方法。
【請求項８】
前記イオン化が、２５５．０７±０．５の質量／電荷比を有する前駆イオンを生成する
工程と、１５９．２０±０．５および１３３．２０±０．５の質量／電荷比を有するイオ
ンからなる群より選択される１つ以上の断片イオンを生成する工程とを含む、請求項１〜
３のいずれか１項に記載の方法。
【請求項９】
前記イオン化が、２５５．０７±０．５の質量／電荷比を有する前駆イオンを生成する
工程と、１５９．２０±０．５および１３３．２０±０．５の質量／電荷比を有する断片
イオンを生成する工程とを含む、請求項１〜３のいずれか１項に記載の方法。
【請求項１０】
前記試薬がギ酸である、請求項１〜９のいずれか１項に記載の方法。
【請求項１１】
前記試験サンプル中に存在するグルクロン酸化エストラジオールおよび非グルクロン酸
化エストラジオールの両方が前記方法によって検出および測定される、請求項１〜１０の
いずれか１項に記載の方法。
【請求項１２】
前記試験サンプルが体液である、請求項１〜１１のいずれか１項に記載の方法。
【請求項１３】
前記方法が、８０ｐｇ／ｍＬ以下の定量限界を有する、請求項１〜１２のいずれか１項
に記載の方法。
【請求項１４】
前記エストラジオールが質量分析の前に誘導体化されない、請求項１〜１３のいずれか
１項に記載の方法。
【請求項１５】
体液サンプル中のエストラジオールの前記量をタンデム型質量分析によって決定するた
めの方法であって：
（ａ）前記体液サンプルから液体クロマトグラフィーによってエストラジオールを精製す
る工程と；
（ｂ）２７１．１４±０．５の質量／電荷比を有している前記エストラジオールの前駆イ
オンを生成する工程と；
（ｃ）前記前駆イオンの１つ以上の断片イオンを生成する工程であって、前記１つ以上の
断片イオンの少なくとも１つが、１８３．１０±０．５の質量／電荷比を有するイオンフ
ラグメントを含む工程と；
（ｄ）工程（ｂ）もしくは（ｃ）またはその両方で生成される１つ以上の前記イオンの量
を検出する工程、および前記検出されたイオンを前記体液サンプル中の前記エストラジオ
ールの量に対して関連付ける工程、を含む上記方法。
【請求項１６】
前記方法が８０ｐｇ／ｍＬ以下の定量限界を有する、請求項１５に記載の方法。
【請求項１７】
前記エストラジオールが質量分析前に誘導体化されない、請求項１５〜１６のいずれか
１項に記載の方法。
【請求項１８】
前記液体クロマトグラフィーが高速液体クロマトグラフィー（ＨＰＬＣ）である、請求
項１５〜１７のいずれか１項に記載の方法。
【請求項１９】
前記精製工程がさらに、高乱流液体クロマトグラフィー（ＨＴＬＣ）続いて、高速液体
クロマトグラフィー（ＨＰＬＣ）を含む、請求項１５〜１８のいずれか１項に記載の方法
。
【請求項２０】
前記前駆イオンが２７１．１４±０．５の質量／電荷比を有し、前記１つ以上の断片イ
オンが、１４５．１０±０．５の質量／電荷比を有する断片イオンを含む、請求項１５〜
１９のいずれか１項に記載の方法。
【請求項２１】
前記イオン化工程の前に前記体液サンプルに存在し得るタンパク質由来の遊離のエスト
ラジオールに対して十分な量である試薬が前記体液サンプルに添加される、請求項１５〜
２０のいずれか１項に記載の方法。
【請求項２２】
前記試薬が塩である、請求項２１に記載の方法。
【請求項２３】
前記塩が硫酸アンモニウムである、請求項２２に記載の方法。
【請求項２４】
前記試薬が、前記体液サンプルを酸性にするのに十分な量で添加される、請求項２１に
記載の方法。
【請求項２５】
前記試薬がギ酸である、請求項２４に記載の方法。
【請求項２６】
前記体液サンプル中に存在するグルクロン酸化エストラジオールおよび非グルクロン酸
化エストラジオールの両方が前記方法によって検出および測定される、請求項１５〜２５
のいずれか１項に記載の方法。
【請求項２７】
試験サンプル中のエストラジオールの量を決定するための方法であって：
（ａ）前記試験サンプル中に存在し得るタンパク質由来の遊離のエストラジオールに対
して十分な量で前記試験サンプルに対して試薬を添加する工程と；
（ｂ）前記試験サンプルから液体クロマトグラフィーによってエストラジオールを精製
する工程と；
（ｃ）前記試験サンプルから精製されたエストラジオールをイオン化して、タンデム型
質量分析によって検出可能な１つ以上のイオンを生成する工程と；
（ｄ）前記エストラジオールイオン（単数または複数）の量をタンデム型質量分析によ
って負のイオンモードで検出し、ここで前記エストラジオールイオン（単数または複数）
の量が前記試験サンプル中のエストラジオールの量に対して関連付けられる工程と、
を含む上記方法。
【請求項２８】
前記方法が８０ｐｇ／ｍＬ以下の定量限界を有する、請求項２７に記載の方法。
【請求項２９】
前記エストラジオールが質量分析前に誘導体化されない、請求項２７〜２８のいずれか
１項に記載の方法。
【請求項３０】
前記液体クロマトグラフィーが高速液体クロマトグラフィー（ＨＰＬＣ）である、請求
項２７〜２９のいずれか１項に記載の方法。
【請求項３１】
前記精製工程がさらに、高乱流液体クロマトグラフィー（ＨＴＬＣ）続いて、高速液体
クロマトグラフィー（ＨＰＬＣ）を含む、請求項２７〜３０のいずれか１項に記載の方法
。
【請求項３２】
前記試薬が塩である、請求項２７〜３１のいずれか１項に記載の方法。
【請求項３３】
前記塩が硫酸アンモニウムである、請求項３２に記載の方法。
【請求項３４】
前記エストラジオールイオンが、２７１．１４±０．５、１８３．１０±０．５、およ
び１４５．１０±０．５の質量／電荷比を有するイオンからなる群より選択される１つ以
上のイオンを含む、請求項２７〜３３のいずれか１項に記載の方法。
【請求項３５】
前記イオン化工程が、２７１．１４±０．５の質量／電荷比を有する前駆イオンを生成
する工程、ならびに１８３．１０±０．５、および１４５．１０±０．５の質量／電荷比
を有するイオンからなる群より選択される１つ以上の断片イオンを生成する工程を含む、
請求項２７〜３４のいずれか１項に記載の方法。
【請求項３６】
前記試験サンプル中に存在するグルクロン酸化エストラジオールおよび非グルクロン酸
化エストラジオールの両方が前記方法によって検出および測定される、請求項２７〜３５
のいずれか１項に記載の方法。
【請求項３７】
前記試験サンプルが体液である、請求項２７〜３６のいずれか１項に記載の方法。
【発明の詳細な説明】
【技術分野】
【０００１】
本発明は、エストラジオールの検出に関する。特定の局面では、本発明は、エストラジ
オールを質量分析によって検出するための方法に関する。
【背景技術】
【０００２】
本発明の背景の以下の説明は、本発明を理解するのにおける単なる補助として提供され
、本発明の先行技術を記載または構成すると認めるものではない。
【０００３】
エストラジオール［１７β−エストラジオールまたはエストラ−１，３，５（１０）−
トリエン−３，１７−ジオール，（１７−β）］またはＥ２は、２７２．３８ダルトンの
分子量を有するＣ１８ステロイドホルモンである。これは「女性（雌性）」ホルモン（ま
たは男性（雄性）に存在する）として表される性ホルモンであって、エストロン（Ｅ１）
およびエストリオール（Ｅ３）を含む内因性ステロイドの群のうち最も強力なエストロゲ
ンである。女性では、主に卵巣がエストラジオールを産生し、これには副腎による二次産
物および脂肪組織でのステロイド前駆体のエストロゲンへの変換を伴う。エストラジオー
ルは、乳房および生殖上皮の増殖、ならびに二次的な性的特徴の発達を担う。正常なレベ
ルのエストラジオールは、適切な排卵、受胎および妊娠をもたらし、加えて、女性での健
常な骨構造の促進、およびコレステロールレベルの調節をもたらす。男性では、精巣およ
び副腎が、エストラジオールの主な供給源である。エストラジオールはホルモンバランス
および他の腺の機能に必要である。
【０００４】
質量分析を用いて特定のエストラジオールイオンを検出するための方法は記載されてい
る。例えば、非特許文献１；非特許文献２；および非特許文献３は、液体クロマトグラフ
ィーおよび質量分析を用いて種々のエストラジオールイオンを検出するための方法を開示
する。これらの方法は、質量分析による検出の前にエストラジオールを誘導体化する。液
体クロマトグラフィー／質量分析によって、誘導体化されていないエストラジオールを検
出するための方法は、非特許文献４；非特許文献５；および非特許文献６に開示される。
ガスクロマトグラフィー／質量分析によってエストラジオールを検出するための方法は、
非特許文献７；非特許文献８；非特許文献９；非特許文献１０；非特許文献１１；および
非特許文献１２に開示されている。
【先行技術文献】
【非特許文献】
【０００５】
【非特許文献１】ネルソン・アール（Ｎｅｌｓｏｎ  Ｒ）ら、クリニカル・ケミストリー（Ｃｌｉｎｉｃａｌ  Ｃｈｅｍｉｓｔｒｙ）２００４，５０（２）：３７３〜８４
【非特許文献２】メロン・ナスバーム・エス（Ｍｅｌｌｏｎ−Ｎｕｓｓｂａｕｍ  Ｓ）ら、ザ・ジャーナル・オブ・バイオロジカル・ケミストリー（Ｔｈｅ  Ｊｏｕｒｎａｌ  ｏｆ  Ｂｉｏｌｏｇｉｃａｌ  Ｃｈｅｍｉｓｔｒｙ）１９８２，２５７（１０）：５６７８〜５６８４
【非特許文献３】スー・エックス（Ｘｕ  Ｘ）ら、ネイチャー・プロトコールズ（Ｎａｔｕｒｅ  Ｐｒｏｔｏｃｏｌｓ）２００７，２（６）：１３５０〜１３５５
【非特許文献４】クオ・ティー（Ｇｕｏ  Ｔ）ら、アーカイブス・オブ・パソロジー・アンド・ラボラトリー・メディシン（Ａｒｃｈｉｖｅｓ  ｏｆ  Ｐａｔｈｏｌｏｇｙ  ＆  Ｌａｂｏｒａｔｏｒｙ  Ｍｅｄｉｃｉｎｅ）２００４，１２８：４６９〜４７５
【非特許文献５】サン・ワイ（Ｓｕｎ  Ｙ）ら、ザ・ジャーナル・オブ・ザ・アメリカン・ソサイエティー・フォー・マス・スペクトロメトリー（Ｔｈｅ  Ｊｏｕｒｎａｌ  ｏｆ  ｔｈｅ  Ａｍｅｒｉｃａｎ  Ｓｏｃｉｅｔｙ  ｆｏｒ  Ｍａｓｓ  Ｓｐｅｃｔｒｏｍｅｔｒｙ）２００５，１６（２）：２７１〜２７９
【非特許文献６】ディアス・クルス・エス（Ｄｉａｚ−Ｃｒｕｚ  Ｓ）ら、ジャーナル・オブ・マス・スペクトロメトリー（Ｊｏｕｒｎａｌ  ｏｆ  Ｍａｓｓ  Ｓｐｅｃｔｒｏｍｅｔｒｙ）２００３，３８：９１７〜９２３
【非特許文献７】ナハティガル・エル（Ｎａｃｈｔｉｇａｌｌ  Ｌ）ら、メノポーズ：ザ・ジャーナル・オブ・ザ・ノース・アメリカン・メノポーズ・ソサイエティ（Ｍｅｎｏｐａｕｓｅ：  Ｔｈｅ  Ｊｏｕｒｎａｌ  ｏｆ  ｔｈｅ  Ｎｏｒｔｈ  Ａｍｅｒｉｃａｎ  Ｍｅｎｏｐａｕｓｅ  Ｓｏｃｉｅｔｙ）２０００，７（４）：２４３〜２５０；
【非特許文献８】サンテン・アール（Ｓａｎｔｅｎ  Ｒ）ら、ステロイズ（Ｓｔｅｒｏｉｄｓ）２００７，７２：６６６〜６７１；
【非特許文献９】ドルガン・ジェイ（Ｄｏｒｇａｎ  Ｊ）ら、ステロイズ（Ｓｔｅｒｏｉｄｓ）２００２，６７：１５１〜１５８；
【非特許文献１０】ビアンコット・ジー（Ｂｉａｎｃｏｔｔｏ  Ｇ）ら、ジャーナル・オブ・マス・スペクトロメトリー（Ｊｏｕｒｎａｌ  ｏｆ  Ｍａｓｓ  Ｓｐｅｃｔｒｏｍｅｔｒｙ）２００２，３７（１２）：１２６６〜１２７１；
【非特許文献１１】フェデニウク・アールダブリュ（Ｆｅｄｅｎｉｕｋ  ＲＷ）ら、ジャーナル・オブ・クロマトグラフフィー・ビー・アナリティカル・テクノロジーズ・イン・ザ・バイオメディカル・アンド・ライフ・サイエンシーズ（Ｊｏｕｒｎａｌ  ｏｆ  Ｃｈｒｏｍａｔｏｇｒａｐｈｙ  Ｂ  Ａｎａｌｙｔｉｃａｌ  ｔｅｃｈｎｏｌｏｇｉｅｓ  ｉｎ  ｔｈｅ  ｂｉｏｍｅｄｉｃａｌ  ａｎｄ  ｌｉｆｅ  ｓｃｉｅｎｃｅｓ）２００４，８０２（２）：３０７〜３１５；
【非特許文献１２】ビドール・エス（Ｂｉｄｄｌｅ  Ｓ）ら、アナライティカル・ケミカ・アクタ（Ａｎａｌｙｔｉｃａ  Ｃｈｉｍｉｃａ  Ａｃｔａ）２００７，５８６（１−２）；１１５〜１２１
【発明の概要】
【課題を解決するための手段】
【０００６】
本発明は、タンデム型質量分析等の質量分析によってサンプル中のエストラジオールの
量を検出するための方法を提供する。
【０００７】
一局面では、試験サンプル中のエストラジオールの量を決定するための方法が提供され
る。この方法は以下を含むことができる：（ａ）試験サンプル中のエストラジオールを液
体クロマトグラフィーによって精製する工程と；（ｂ）この試験サンプル中のエストラジ
オールをイオン化する工程と；（ｃ）このエストラジオールイオン（単数または複数）の
量を質量分析によって検出する工程、およびこの検出されたエストラジオールイオン（単
数または複数）の量をこの試験サンプル中のエストラジオールの量に対して関連付ける工
程。この局面の特定の好ましい実施形態では、この方法の定量の限界は、８０ｐｇ／ｍＬ
以下であり；かつ好ましくは、エストラジオールは、質量分析前には誘導体化されない。
いくつかの好ましい実施形態では、この方法は、エストラジオールの１つ以上の前駆イオ
ンを生成する工程を含み、ここではこの前駆イオンの少なくとも１つが２７１．１４±０
．５または２５５．０７±０．５の質量／電荷比を有する。関連の好ましい実施形態では
、この方法は、エストラジオール前駆イオンの１つ以上の断片イオンを生成する工程を含
み、ここではこの断片イオンの少なくとも１つが１８３．１０±０．５、１５９．２０±
０．５、１４５．１０±０．５、または１３３．２０±０．５の質量／電荷比を有し；好
ましくは１つ以上の断片イオンは、１８３．１０±０．５および１３３．２０±０．５の
質量／電荷比を有するイオンからなる群より選択される。この局面の特定の好ましい実施
形態では、この試験サンプルは体液である。いくつかの好ましい実施形態では、この方法
は、試験サンプル中に存在し得るタンパク質由来の遊離のエストラジオールに対して十分
な量の試薬をこの試験サンプルに添加する工程を含み得る。関連の好ましい実施形態では
、この方法は、試験サンプルを酸性化する工程；好ましくはイオン化の前に酸性化する工
程；さらに好ましくは、精製の前に酸性化する工程；好ましくはギ酸を用いて酸性化する
工程を含み得る。異なる好ましい実施形態では、この方法は、試験サンプル中に存在し得
るタンパク質由来の遊離のエストラジオールに対して十分な量の塩をこの試験サンプルに
添加する工程と；好ましくはイオン化の前に添加する工程；さらに好ましくは精製の前に
添加する工程；好ましくは硫酸アンモニウムを添加する工程を含み得る。特に好ましい実
施形態では、１００ｍＭの硫酸アンモニウムを試験サンプルに対して、この試験サンプル
中での硫酸アンモニウムの最終濃度が約５７ｍＭに添加する。
【０００８】
本明細書において用いる場合、別段言及しない限り、単数形「１つの、この（不定冠詞
：ａ、ａｎ）」および「この、その（定冠詞：ｔｈｅ）」は複数の言及を包含する。従っ
て、例えば、「タンパク質」という言及は、複数のタンパク質分子を包含する。
【０００９】
本明細書において用いる場合、「精製」または「精製すること」という用語は、目的の
分析物（単数または複数）以外のサンプル由来の全ての物質を除去することを言うのでは
ない。そうではなく、精製とは、目的の分析物の検出を妨害し得るサンプル中の他の成分
に対して目的の１つ以上の分析物の量を富化する手順を指す。サンプルは本明細書では、
１つ以上の妨害物質、例えば、選択されたエストラジオールの親イオンまたは娘イオンを
質量分析によって検出することを妨げるであろう１つ以上の物質の除去を可能にする種々
の手段によって精製される。
【００１０】
本明細書において用いる場合、「試験サンプル」という用語は、エストラジオールを含
み得る任意のサンプルを指す。本明細書において用いる場合、「体液」という用語は、個
体の体液から単離され得る任意の液体を意味する。例えば、「体液」は、血液、血漿、血
清、胆汁、唾液、尿、涙、汗などを包含し得る。
【００１１】
本明細書において用いる場合、「誘導体化」という用語は、２つの分子を反応させて新
規な分子を形成することを意味する。誘導体化剤としては、イソチオシアナート基、ジニ
トロ−フルオロフェニル基、ニトロフェノキシカルボニル基、および／またはフタルアル
デヒド基などを挙げることができる。
【００１２】
本明細書において用いる場合、「クロマトグラフィー」という用語は、液体または気体
によって担持される化学的な混合物が、静止的な液相または固相の周囲または上を流れる
につれて、その化学物質の示差的な分布の結果として成分に分けられるプロセスを指す。
【００１３】
本明細書において用いる場合、「液体クロマトグラフィー」または「ＬＣ」という用語
は、微細に分けられた物質のカラムを通じて、またはキャピラリーの通路を通じて液体が
均一に浸透するような液体溶液の１つ以上の成分の選択的な遅延のプロセスを意味する。
この遅延の結果、固定相（単数または複数）に対してこの液体が動くにつれて、１つ以上
の固定相とバルクの液体（すなわち、移動相）との間で混合物の成分の分布が生じる。「
液体クロマトグラフィー」の例としては、逆相液体クロマトグラフィー（ＲＰＬＣ）、高
速液体クロマトグラフィー（ＨＰＬＣ）および高乱流液体クロマトグラフィー（ＨＴＬＣ
）が挙げられる。
【００１４】
本明細書において用いる場合、「高速液体クロマトグラフィー」または「ＨＰＬＣ」と
いう用語は、液体クロマトグラフィーであって、分離の程度が固定相、典型的には濃密に
充填されたカラムを通じて圧力下で移動相を強制することによって増大される液体クロマ
トグラフィーを指す。
【００１５】
本明細書において用いる場合、「高乱流液体クロマトグラフィー」または「ＨＴＬＣ」
という用語は、分離を行うための基礎としてカラム充填を通じてアッセイされている物質
の乱流を利用するクロマトグラフィーの形態を指す。ＨＴＬＣは質量分析による分析の前
に２つの不特定の薬物を含むサンプルの調製に適用されている。例えば、Ｚｉｍｍｅｒ  
ｅｔ  ａｌ．，Ｊ．Ｃｈｒｏｍａｔｏｇｒ．Ａ  ８５４：２３〜３５（１９９９）を参照
のこと；また、さらにＨＴＬＣを説明している、米国特許第５，９６８，３６７号、同第
５，９１９，３６８号、同第５，７９５，４６９号、および同第５，７７２，８７４号も
参照のこと。当業者は、「乱流」を理解する。液体がゆっくりかつスムーズに流れる場合
、その流れは「層流」と呼ばれる。例えば、ＨＰＬＣカラムを通じて移動する低い流速の
流れは層流である。層流では、液体の粒子の動きは、粒子が一般には直線で動くにつれて
古くなっている。速い流速では、水の慣性は、液体の摩擦力および乱流の結果を上回る。
不規則な境界と接触していない液体は、摩擦によって遅くなるかまたは不均一な表面によ
って偏向される境界を「追い越す（ｏｕｔｒｕｎｓ）」。液体が乱れて流される場合、そ
の液体は渦巻き（ｅｄｄｉｃｓ）および渦（ｗｈｉｒｌｓ）（または渦形（ｖｏｒｔｉｃ
ｅｓ））で流れ、ここではその流れが層流である場合よりも「のろのろ進む（ｄｒａｇ）
」。液体の流れが層流または乱流であるときを決定するのに役立つ多くの参考文献が利用
可能である（例えば、Ｔｕｒｂｕｌｅｎｔ  Ｆｌｏｗ  Ａｎａｌｙｓｉｓ：Ｍｅａｓｕｒ
ｅｍｅｎｔ  ａｎｄ  Ｐｒｅｄｉｃｔｉｏｎ，Ｐ．Ｓ．  Ｂｅｒｎａｒｄ  ＆  Ｊ．Ｍ．
Ｗａｌｌａｃｅ，Ｊｏｈｎ  Ｗｉｌｅｙ  ＆  Ｓｏｎｓ，Ｉｎｃ．，（２０００）；Ａ
ｎ  Ｉｎｔｒｏｄｕｃｔｉｏｎ  ｔｏ  Ｔｕｒｂｕｌｅｎｔ  Ｆｌｏｗ，Ｊｅａｎ  Ｍａ
ｔｈｉｅｕ  ＆  Ｊｕｌｉａｎ  Ｓｃｏｔｔ，Ｃａｍｂｒｉｄｇｅ  Ｕｎｉｖｅｒｓｉｔ
ｙ  Ｐｒｅｓｓ（２００１））。
【００１６】
本明細書において用いる場合、「ガスクロマトグラフィー」または「ＧＣ」という用語
は、クロマトグラフィーであって、サンプル混合物が気化されて、液体または粒子状固体
からなる固定相を含むカラムを通じて移動する搬送ガス（窒素またはヘリウムとして）の
流れに注入され、その固定相の化合物の親和性に従ってその成分の化合物に分けられるク
ロマトグラフィーを指す。
【００１７】
本明細書において用いる場合、「大粒子カラム（ｌａｒｇｅ  ｐａｒｔｉｃｌｅ  ｃｏ
ｌｕｍｎ）」または「抽出カラム（ｅｘｔｒａｃｔｉｏｎ  ｃｏｌｕｍｎ）」という用語
は、約３５μｍより大きい平均粒子直径を含むクロマトグラフィーカラムを指す。この文
脈において用いる場合、「約」という用語は±１０％を意味する。好ましい実施形態では
、このカラムは、約６０μｍの直径の粒子を含む。
【００１８】
本明細書において用いる場合、「分析カラム（ａｎａｌｙｔｉｃａｌ  ｃｏｌｕｍｎ）
」という用語は、分析物の存在または量の決定を可能にするのに十分な、そのカラムから
溶出するサンプル中の物質の分離を果たすために十分なクロマトグラフィープレートを有
しているクロマトグラフィーカラムを指す。このようなカラムは「抽出カラム」と区別さ
れる場合が多く、これは、さらなる分析のために精製されたサンプルを得るために、保持
されていない物質から保持された物質を分離または抽出するという一般的な目的を有する
。この文脈で用いる場合、「約」という用語は±１０％を意味する。好ましい実施形態で
は、この分析的カラムは、約４μｍの直径の粒子を含む。
【００１９】
本明細書において用いる場合、「オンライン」または「インライン」という用語は、例
えば、「オンラインの自動的方式（ｏｎ−ｌｉｎｅ  ａｕｔｏｍａｔｅｄ  ｆａｓｈｉｏ
ｎ）」または「オンライン抽出（ｏｎ−ｌｉｎｅ  ｅｘｔｒａｃｔｉｏｎ）」で用いる場
合、操作者の介入が必要なしで行われる手順を指す。対照的に、「オフライン」という用
語は、本明細書において用いる場合、操作者の手動による介入を要する手順を指す。従っ
て、サンプルを沈殿させ、次に上清を手動でオートサンプラーにロードする場合、その沈
殿およびローディングの工程は、その後の工程からオフラインである。この方法の種々の
実施形態では、１つ以上の工程をオンラインの自動的な方式で行ってもよい。
【００２０】
本明細書において用いる場合、「質量分析」または「ＭＳ」という用語は、その質量に
よって化合物を特定するための分析技術を指す。ＭＳとは、イオンの質量対電荷比、すな
わち「ｍ／ｚ」に基づいてイオンをフィルタリング、検出および測定する方法を指す。Ｍ
Ｓ技術は一般には（１）化合物をイオン化して荷電された化合物を形成する工程；および
（２）荷電された化合物の分子量を検出して質量対電荷比（ｍ／ｚ）を算出する工程を含
む。この化合物は、任意の適切な手段によってイオン化および検出され得る。「質量分析
計」は一般には、イオン化装置およびイオン検出器を備える。一般には、目的の１つ以上
の分子をイオン化し、そのイオンを引き続き、質量分析法の装置に導入し、ここで、磁場
および電場の組み合わせに起因して、イオンは質量（「ｍ」）および荷電（「ｚ」）に依
存する空間中の経路をたどる。例えば、「Ｍａｓｓ  Ｓｐｅｃｔｒｏｍｅｔｒｙ  Ｆｒｏ
ｍ  Ｓｕｒｆａｃｅｓ」と題された米国特許第６，２０４，５００号、「Ｍｅｔｈｏｄｓ
ａｎｄ  Ａｐｐａｒａｔｕｓ  ｆｏｒ  Ｔａｎｄｅｍ  Ｍａｓｓ  Ｓｐｅｃｔｒｏｍｅ
ｔｒｙ」と題された同第６，１０７，６２３号、「ＤＮＡ  Ｄｉａｇｎｏｓｔｉｃｓ  Ｂ
ａｓｅｄ  Ｏｎ  Ｍａｓｓ  Ｓｐｅｃｔｒｏｍｅｔｒｙ」と題された同第６，２６８，１
４４号、「Ｓｕｒｆａｃｅ−Ｅｎｈａｎｃｅｄ  Ｐｈｏｔｏｌａｂｉｌｅ  Ａｔｔａｃｈ
ｍｅｎｔ  Ａｎｄ  Ｒｅｌｅａｓｅ  Ｆｏｒ  Ｄｅｓｏｒｐｔｉｏｎ  Ａｎｄ  Ｄｅｔｅ
ｃｔｉｏｎ  Ｏｆ  Ａｎａｌｙｔｅｓ」と題された同第６，１２４，１３７号、Ｗｒｉｇ
ｈｔ  ｅｔ  ａｌ．，Ｐｒｏｓｔａｔｅ  Ｃａｎｃｅｒ  ａｎｄ  Ｐｒｏｓｔａｔｉｃ  
Ｄｉｓｅａｓｅｓ  ２：２６４〜７６（１９９９）；ならびにＭｅｒｃｈａｎｔおよびＷ
ｅｉｎｂｅｒｇｅｒ，Ｅｌｅｃｔｒｏｐｈｏｒｅｓｉｓ  ２１：１１６４〜６７（２００
０）を参照のこと。
【００２１】
本明細書において用いる場合、「負のイオンモードで作動する」という用語は、負のイ
オンが生成され検出される質量分析法を指す。本明細書において用いる場合、「正のイオ
ンモードで作動する」という用語は、正のイオンが生成され検出される質量分析法を指す
。
【００２２】
本明細書において用いる場合、「イオン化」または「イオン化する、イオン化工程（ｉ
ｏｎｉｚｉｎｇ）」という用語は１つ以上の電子単位に等しい正味の電荷を有している分
析物イオンを生成するプロセスを指す。負のイオンとは、１つ以上の電子単位の正味の負
の電荷を有しているイオンであるが、正のイオンとは、１つ以上の電子単位の正味の正の
電荷を有しているイオンである。
【００２３】
本明細書において用いる場合、「電子イオン化」または「ＥＩ」という用語は、気相ま
たは蒸気相中の目的の分析物が電子の流れと相互作用する方法を指す。分析物との電子の
衝突は分析物イオンを生じ、これが次に質量分析技術に供され得る。
【００２４】
本明細書において用いる場合、「化学的イオン化」または「ＣＩ」という用語は、試薬
ガス（例えば、アンモニア）が電子衝突に供され、分析物イオンが試薬ガスイオンおよび
分析物分子の相互作用によって形成される方法を指す。
【００２５】
本明細書において用いる場合、「高速原子衝撃」または「ＦＡＢ」という用語は、高エ
ネルギー原子のビーム（しばしばＸｅまたはＡｒ）が不揮発性サンプルに衝突し、サンプ
ル中に含まれる分子を脱着およびイオン化する方法を指す。試験サンプルを、グリセロー
ル、チオグリセロール、ｍ−ニトロベンジルアルコール、１８−クラウン−６クラウンエ
ーテル、２−ニトロフェニルオクチルエーテル、スルホラン、ジエタノールアミン、およ
びトリエタノールアミンなどの粘性の液体マトリックスに溶解する。化合物またはサンプ
ルについて適切なマトリックスの選択は経験的なプロセスである。
【００２６】
本明細書において用いる場合、「マトリックス支援レーザー脱離イオン化」または「Ｍ
ＡＬＤＩ」という用語は、不揮発性のサンプルがレーザー照射に曝され、レーザー照射が
サンプル中の分析物を、光イオン化、プロトン化、脱プロトンおよびクラスター崩壊を含
む種々のイオン化経路によって脱着およびイオン化する方法を指す。ＭＡＬＤＩについて
は、サンプルをエネルギー吸着マトリックスと混合して、これによって分析物分子の脱着
を容易にする。
【００２７】
本明細書において用いる場合、「表面増強レーザー脱離イオン化」または「ＳＥＬＤＩ
」という用語は、不揮発性サンプルがレーザー照射に曝され、レーザー照射がサンプル中
の分析物を、光イオン化、プロトン化、脱プロトンおよびクラスター崩壊を含む種々のイ
オン化経路によって脱着およびイオン化するという別の方法を指す。ＳＥＬＤＩについて
は、サンプルは典型的には目的の１つ以上の分析物を優先的に保持する表面に結合される
。ＭＡＬＤＩにおいては、このプロセスはエネルギー吸着物質を使用してイオン化を容易
にしてもよい。
【００２８】
本明細書において用いる場合、「エレクトロスプレーイオン化」または「ＥＳＩ」とい
う用語は、溶液が短い長さの毛細管にそって通され、その終わりに高い正または負の電圧
が印加される方法を指す。この管の終わりに達する溶液は、溶媒蒸気中の溶液の極めて小
さい液滴のジェットまたはスプレー中に気化（噴霧）される。この液滴のミストは蒸発室
（エバポレーション・チャンバ）を通って流れ、この蒸発室は、縮合を妨げかつ溶媒を蒸
発させるためにわずかに加熱される。この液滴は小さくなるので、電気的表面電荷密度は
、同様の電荷の間の自然な反発がイオンおよび放出されるべき中性の分子を生じる時点ま
で増大する。
【００２９】
本明細書において用いる場合、「大気圧化学イオン化」または「ＡＰＣＩ」という用語
は、ＥＳＩと同様の質量分析方法を指す；しかし、ＡＰＣＩは、大気圧でプラズマ内に生
じるイオン−分子反応によって、イオンを生じる。このプラズマはスプレーの毛細管と対
極との間の電荷によって維持される。次いで、イオンは典型的には、１セットの示差的に
ポンピングされたスキマー・ステージの使用によって質量分析器の中に抽出される。乾燥
および予備加熱されたＮ2ガスの逆流を用いて、溶媒の除去を改善してもよい。ＡＰＣＩ
中の気相イオン化は、極性の低い種を分析するためにはＥＳＩよりも有効であり得る。
【００３０】
本明細書において用いる場合、「大気圧光イオン化」または「ＡＰＰＩ」という用語は
、質量分析の形態であって、分子Ｍの光イオン化の機構が、光吸収および電子入射であっ
て分子イオンＭ＋を形成する形態を指す。光エネルギーは典型的にはイオン化電位のすぐ
上なので、分子イオンは解離を受けにくい。多くの場合、クロマトグラフィーの必要なし
にサンプルを分析することが可能であり、従って時間および費用がかなり節約される。水
蒸気またはプロトン性溶媒の存在下では、分子イオンは、Ｈを抽出してＭＨ＋を形成し得
る。これは、Ｍが高いプロトン親和力を有する場合に生じる傾向である。これは、定量の
精度には影響しない。なぜならＭ＋およびＭＨ＋の合計は、一定であるからである。プロ
トン性溶媒における薬物化合物は、通常ＭＨ＋として観察されるが、非極性化合物、例え
ば、ナフタレンまたはテストステロンは通常は、Ｍ＋を形成する。Ｒｏｂｂ，Ｄ．Ｂ．，
Ｃｏｖｅｙ，Ｔ．Ｒ．およびＢｒｕｉｎｓ，Ａ．Ｐ．（２０００）：例えば、Ｒｏｂｂ  
ｅｔ  ａｌ．，Ａｔｍｏｓｐｈｅｒｉｃ  ｐｒｅｓｓｕｒｅ  ｐｈｏｔｏｉｏｎｉｚａｔ
ｉｏｎ：Ａｎ  ｉｏｎｉｚａｔｉｏｎ  ｍｅｔｈｏｄ  ｆｏｒ  ｌｉｑｕｉｄ  ｃｈｒｏ
ｍａｔｏｇｒａｐｈｙ−ｍａｓｓ  ｓｐｅｃｔｒｏｍｅｔｒｙ．Ａｎａｌ．Ｃｈｅｍ．７
２（１５）：３６５３〜３６５９を参照のこと。
【００３１】
本明細書において用いる場合、「誘導性結合プラズマ（ｉｎｄｕｃｔｉｖｅｌｙ  ｃｏ
ｕｐｌｅｄ  ｐｌａｓｍａ）」または「ＩＣＰ」という用語は、サンプルが、ほとんどの
元素が微粒化およびイオン化されるような十分に高い温度で部分的にイオン化されたガス
と相互作用する方法を指す。
【００３２】
本明細書において用いる場合、「電界脱離」という用語は、不揮発性の試験サンプルを
イオン化表面に置き、強電界を用いて分析物イオンを生成する方法を指す。
【００３３】
本明細書において用いる場合、「脱離」という用語は、表面からの分析物の除去、およ
び／または気相への分析物の進入を指す。
【００３４】
本明細書において用いる場合、「数量化の限界」、「定量化の限界」または「ＬＯＱ」
という用語は、測定が定量的に意味をなすポイントを指す。このＬＯＱでの分析物の反応
は、識別可能、別個、かつ再現性であって、２０％の正確性および８０％〜１２０％の精
度を有する。
【００３５】
本明細書において用いる場合、「検出限界」または「ＬＯＤ」という用語は、測定され
た値の方がその値に伴う不確実性よりも大きいポイントである。ＬＯＤは、ゼロ濃度から
２標準偏差（ＳＤ）として適宜規定される。
【００３６】
本明細書において用いる場合、体液サンプル中のエストラジオールの「量」とは一般に
は、体液の容積中で検出可能なエストラジオールの量を反映している絶対値を指す。しか
し、ある量はまた、別のエストラジオール量に比較した相対量を意図する。例えば、体液
中のエストラジオールの量は、正常に存在するエストラジオールのコントロールまたは正
常なレベルよりも大きい量であってもよい。
【００３７】
第二の局面では、体液サンプル中のエストラジオールの量をタンデム質量分析によって
決定するための方法が提供され、この方法は以下を含む：（ａ）体液サンプル中のエスト
ラジオールを液体クロマトグラフィーによって精製する工程と；（ｂ）２５５．０７±０
．５の質量／電荷比を有しているエストラジオールの前駆イオンを生成する工程と；（ｃ
）前駆イオンの１つ以上の断片イオンを生成する工程であって、その断片イオンの少なく
とも１つが１３３．２０±０．５の質量／電荷比を有する工程と；（ｄ）工程（ｂ）もし
くは（ｃ）またはその両方で生成された１つ以上のイオンの量を検出し、この検出された
イオンを体液サンプル中のエストラジオールの量に対して関連付ける工程。このような好
ましい実施形態では、この方法の定量限界は、８０ｐｇ／ｍＬ以下である。他の好ましい
実施形態では、エストラジオールは、質量分析の前に誘導体化されない。特定の好ましい
実施形態では、この方法は、エストラジオール前駆イオンの１つ以上の断片イオンを生成
する工程をさらに含んでいてもよく、ここでこの断片イオンの少なくとも１つが１５９．
２０±０．５の質量／電荷比を有する。いくつかの好ましい実施形態では、この方法は、
体液サンプル中に存在し得るタンパク質由来の遊離エストラジオールに対して十分な量で
体液サンプルに対して試薬を添加する工程を含み得る。関連の好ましい実施形態では、こ
の方法は、体液サンプルを酸性化する工程；好ましくはイオン化の前に酸性化する工程；
さらに好ましくは精製の前に酸性化する工程；好ましくはギ酸を用いて酸性化する工程を
含み得る。
【００３８】
第三の局面では、体液サンプル中のエストラジオールの量をタンデム型質量分析によっ
て決定するための方法が提供され、この方法は以下を含む：（ａ）体液サンプル中のエス
トラジオールを液体クロマトグラフィーによって精製する工程と；（ｂ）２７１．１４±
０．５の質量／電荷比を有しているエストラジオールの前駆イオンを生成する工程と；（
ｃ）前駆イオンの１つ以上の断片イオンを生成する工程であって、その断片イオンの少な
くとも１つが１８３．１０±０．５の質量／電荷比を有する工程と；（ｄ）工程（ｂ）も
しくは（ｃ）またはその両方で生成された１つ以上のイオンの量を検出し、この検出され
たイオンを体液サンプル中のエストラジオールの量に対して関連付ける工程。このような
好ましい実施形態では、この方法の定量限界は、８０ｐｇ／ｍＬ以下である。他の好まし
い実施形態では、エストラジオールは、質量分析の前に誘導体化されない。特定の好まし
い実施形態では、この方法は、エストラジオール前駆イオンの１つ以上の断片イオンを生
成する工程をさらに含んでいてもよく、ここでこの断片イオンの少なくとも１つが１４５
．１０±０．５の質量／電荷比を有する。いくつかの好ましい実施形態では、この方法は
、体液サンプル中に存在し得るタンパク質由来の遊離エストラジオールに対して十分な量
でこの体液サンプルに対して試薬を添加する工程を含み得る。関連の好ましい実施形態で
は、この方法は、体液サンプルに対して塩試薬を添加する工程；好ましくはイオン化の前
に添加する工程；さらに好ましくは精製の前に添加する工程；好ましくは硫酸アンモニウ
ムを添加する工程を含み得る。特に好ましい実施形態では、１００ｍＭの硫酸アンモニウ
ムを体液サンプルに対して、その体液サンプル中で約５７ｍＭの硫酸アンモニウムという
最終濃度に添加する。
【００３９】
第四の局面では、試験サンプル中のエストラジオールの量を決定するための方法が提供
され、この方法は以下を含む：（ａ）試験サンプル中に存在し得るタンパク質由来の遊離
のエストラジオールに対して十分な量で試薬を用いて試験サンプルを酸性化する工程と；
（ｂ）この試験サンプル中のエストラジオールを液体クロマトグラフィーによって精製す
る工程と；（ｃ）この試験サンプル中のエストラジオールをイオン化して、タンデム型質
量分析によって検出可能な１つ以上のイオンを生成する工程と；（ｄ）このエストラジオ
ールイオン（単数または複数）の量をタンデム型質量分析によって正のイオンモードで検
出して、この検出されたエストラジオールイオン（単数または複数）の量を試験サンプル
中のエストラジオールの量に対して関連付ける工程。特定の好ましい実施形態では、この
試験サンプルは体液である。いくつかの好ましい実施形態では、この方法の定量限界は８
０ｐｇ／ｍＬ以下である。他の好ましい実施形態では、エストラジオールは、質量分析前
に誘導体化されない。いくつかの好ましい実施形態では、この方法は、エストラジオール
の１つ以上の前駆イオンを生成する工程を含み、ここで前駆イオンの少なくとも１つは、
２５５．０７±０．５の質量／電荷比を有する。関連の好ましい実施形態では、この方法
は、エストラジオール前駆イオンの１つ以上の断片イオンを生成する工程を含みてもよく
、ここではこの断片イオンの少なくとも１つが１５９．２０±０．５または１３３．２０
±０．５の質量／電荷比を有する。いくつかの好ましい実施形態では、この方法は、イオ
ン化の前に試験サンプルを酸性化する工程；より好ましくは精製の前に酸性化する工程；
好ましくはギ酸を用いて酸性化する工程を含んでいてもよい。
【００４０】
第五の局面では、試験サンプル中のエストラジオールの量を決定するための方法が提供
され、この方法は以下を含む：（ａ）試験サンプル中に存在し得るタンパク質由来の遊離
エストラジオールに対して十分な量でこの試験サンプルに試薬を添加する工程と；（ｂ）
この試験サンプル中のエストラジオールを液体クロマトグラフィーによって精製する工程
と；（ｃ）この試験サンプル中の精製されたエストラジオールをイオン化して、タンデム
型質量分析によって検出可能な１つ以上のイオンを生成する工程と；（ｄ）このエストラ
ジオールイオン（単数または複数）の量をタンデム型質量分析によって負のイオンモード
で検出して、この検出されたエストラジオールイオン（単数または複数）の量をこの試験
サンプル中のエストラジオールの量に対して関連付ける工程。特定の好ましい実施形態で
は、この試験サンプルは体液である。いくつかの好ましい実施形態では、この方法の定量
限界は８０ｐｇ／ｍＬ以下である。他の好ましい実施形態では、エストラジオールは、質
量分析前に誘導体化されない。いくつかの好ましい実施形態では、この方法は、エストラ
ジオールの１つ以上の前駆イオンを生成する工程を含み、ここで前駆イオンの少なくとも
１つは、２７１．１４±０．５の質量／電荷比を有する。関連の好ましい実施形態では、
この方法は、エストラジオール前駆イオンの１つ以上の断片イオンを生成する工程を含み
てもよく、ここではこの断片イオンの少なくとも１つが１８３．１０±０．５または１４
５．１０±０．５の質量／電荷比を有する。他の好ましい実施形態では、この方法は、試
験サンプルに対して塩試薬を添加する工程；好ましくはイオン化の前に添加する工程；さ
らに好ましくは精製の前に添加する工程；好ましくは硫酸アンモニウムを添加する工程を
含んでいてもよい。特に好ましい実施形態では、１００ｍＭの硫酸アンモニウムを試験サ
ンプルに対して、この試験サンプル中で約５７ｍＭの硫酸アンモニウムという最終濃度に
添加する。
【００４１】
いくつかの好ましい実施形態では、エストラジオールは、質量分析の前に誘導体化され
てもよいが、特定の好ましい実施形態では；サンプルの調製は、誘導体化の使用を排除す
る。
【００４２】
上記の局面の特定の好ましい実施形態では、液体クロマトグラフィーは、ＨＴＬＣおよ
びＨＰＬＣを用いて行われ、好ましくはＨＴＬＣはＨＰＬＣと組み合わせて用いられるが
、他の方法が用いられてもよく、これには、例えば、タンパク質沈殿およびＨＰＬＣと組
み合わせた精製が挙げられる。
【００４３】
好ましい実施形態は、高速液体クロマトグラフィー（ＨＰＬＣ）を、単独で、または１
つ以上の精製方法、例えば、ＨＴＬＣまたはタンパク質沈殿と組み合わせて利用して、サ
ンプル中のエストラジオールを精製する。
【００４４】
本明細書に開示される方法の特定の好ましい実施形態では、質量分析は負のイオンモー
ドで行われる。あるいは、質量分析は正のイオンモードで行われる。特定の好ましい実施
形態では、エストラジオールは、正および負の両方のイオンモードを用いて測定される。
特定の好ましい実施形態では、エストラジオールはＡＰＣＩまたはＥＳＩを正または負の
いずれかのモードで用いて測定される。
【００４５】
上記の局面の好ましい実施形態では、体液サンプル中に存在するグルクロン酸化エスト
ラジオールおよび非グルクロン酸化エストラジオールの両方が検出および測定される。
【００４６】
好ましい実施形態では、質量分析計で検出可能なエストラジオールは、２７１．１４±
０．５、２５５．０７±０．５、１８３．１０±０．５、１５９．２０±０．５、１４５
．１０±０．５、および１３３．２０±０．５の質量／電荷比（ｍ／ｚ）を有するイオン
からなる群より選択され；この後者４つは、前駆イオンの断片イオンである。特定の好ま
しい実施形態では、この前駆イオンは、２７１．１４±０．５または２５５．０７±０．
５の質量／電荷比を有し、この断片イオンは１８３．１０±０．５または１３３．２０±
０．５の質量／電荷比を有する。
【００４７】
好ましい実施形態では、別々に検出可能な内部エストラジオール標準がサンプル中に提
供され、この量もサンプル中で決定される。これらの実施形態では、サンプルに存在する
内因性のエストラジオールおよび内部標準の全てまたは両方の一部をイオン化して、質量
分析で検出可能な複数のイオンを生成し、各々から生成される１つ以上のイオンが質量分
析によって検出される。
【００４８】
好ましい内部エストラジオール標準は、２，４，１６，１６，１７−ｄ5エストラジオ
ールである。好ましい実施形態では、質量分析計で検出可能な内部エストラジオール標準
イオンは、２７６．１５±０．５、２６０．１０±０．５、１８７．１０±０．５、１６
１．１０±０．５、１４７．１０±０．５、および１３５．１０±０．５の質量／電荷比
を有するイオンからなる群より選択される。特に好ましい実施形態では、内部エストラジ
オール標準の前駆イオンは、２７６．１５±０．５および２６０．１０±０．５の質量／
電荷比を有しているイオンからなる群より選択され；かつ１つ以上の断片イオンは、１８
７．１０±０．５、１６１．１０±０．５、１４７．１０±０．５、および１３５．１０
±０．５の質量／電荷比を有しているイオンからなる群より選択される。
【００４９】
好ましい実施形態では、このエストラジオールイオンの存在または量を、２，４，１６
，１６，１７−ｄ5エストラジオールなどの参照に対して比較することによって試験サン
プル中のエストラジオールの存在または量に関連付ける。
【００５０】
一実施形態では、この方法は、液体クロマトグラフィーと質量分析との組み合わせに関
する。好ましい実施形態では、この液体クロマトグラフィーはＨＰＬＣである。好ましい
実施形態は、ＨＰＬＣを単独で、または例えば、ＨＴＬＣもしくはタンパク質精製などの
１つ以上の精製方法と組み合わせて利用して、サンプル中のエストラジオールを精製する
。別の好ましい実施形態では、この質量分析はタンデム型質量分析（ＭＳ／ＭＳ）である
。
【００５１】
本明細書に開示される局面の特定の好ましい実施形態では、エストラジオールの定量の
限界（ＬＯＱ）は、８０ｐｇ／ｍＬ以下；好ましくは７５ｐｇ／ｍＬ以下；好ましくは５
０ｐｇ／ｍＬ以下；好ましくは２５ｐｇ／ｍＬ以下；好ましくは１０ｐｇ／ｍＬ以下；好
ましくは５ｐｇ／ｍＬ以下；好ましくは４．５ｐｇ／ｍＬ以下；好ましくは４ｐｇ／ｍＬ
以下；好ましくは３．５ｐｇ／ｍＬ以下；好ましくは３ｐｇ／ｍＬ以下；好ましくは２．
５ｐｇ／ｍＬ以下；好ましくは２ｐｇ／ｍＬである。
【００５２】
「約、およそ、ほぼ（ａｂｏｕｔ）」という用語は、イオンの質量の測定を含んでいな
い定量的な測定に関して本明細書で用いられる場合、示される値プラスマイナス１０％を
指す。質量分析装置は、所定の分析物の量を決定するのにわずかに変化し得る。「約」と
いう用語は、イオンの量またはイオンの質量／電荷比の文脈では＋／−０．５の原子量単
位を指す。
【００５３】
上記の本発明の要約は、限定されるものではなく、本発明の他の特徴および利点は本発
明の以下の詳細な説明から、および特許請求の範囲から明らかである。
【図面の簡単な説明】
【００５４】
【図１】ＬＣ−ＭＳ／ＭＳアッセイを用いる連続希釈したストックサンプル中のエストラジオールの定量の直線性を示す。詳細は実施例６に記載される。
【発明を実施するための形態】
【００５５】
試験サンプル中のエストラジオールを検出および定量する方法が開示される。この方法
は、液体クロマトグラフィー（ＬＣ）、最も好ましくはＨＴＬＣを、ＨＰＬＣと組み合わ
せて利用して、選択された分析物の最初の精製を行い、そしてこの精製と質量分析（ＭＳ
）の固有の方法とを組み合わせて、これによって試験サンプル中のエストラジオールを検
出および定量するための高速アッセイシステムを提供する。好ましい実施形態は特に、大
規模の臨床実験室への適用によく適している。特異性が向上しており、かつ他のエストラ
ジオールアッセイで必要とされるよりも少ない時間と少ないサンプル調製とで達成される
、エストラジオールの方法が提供される。
【００５６】
好ましい実施形態では、試験サンプル中のエストラジオールの検出限界（ＬＯＤ）は、
８０ｐｇ／ｍＬ以下；好ましくは７５ｐｇ／ｍＬ以下；好ましくは５０ｐｇ／ｍＬ以下；
好ましくは２５ｐｇ／ｍＬ以下；好ましくは１０ｐｇ／ｍＬ以下；好ましくは５ｐｇ／ｍ
Ｌ以下；好ましくは４．５ｐｇ／ｍＬ以下；好ましくは４ｐｇ／ｍＬ以下；好ましくは３
．５ｐｇ／ｍＬ以下；好ましくは３ｐｇ／ｍＬ以下；好ましくは２．５ｐｇ／ｍＬ以下；
好ましくは２ｐｇ／ｍＬである。
【００５７】
適切な試験サンプルとしては、目的の分析物を含み得る任意の試験サンプルが挙げられ
る。例えば、合成エストラジオールの製造の間に得られるサンプルを分析して、製造プロ
セスの組成物および収率を決定してもよい。いくつかの好ましい実施形態では、サンプル
は生物学的サンプル；すなわち、任意の生物学的供給源、例えば、動物、細胞培養物、器
官培養物などから得られるサンプルである。特定の好ましい実施形態では、サンプルは哺
乳動物、例えば、イヌ、ネコ、ウマなどから得られる。特に好ましい哺乳動物は霊長類、
最も好ましくは男性または女性のヒトである。特に好ましいサンプルとしては血液、血漿
、血清、毛髪、筋肉、尿、唾液、涙液、脳脊髄液、または他の組織サンプルが挙げられる
。このようなサンプルは、例えば、患者；すなわち、疾患または病態の診断、予防または
処置のための臨床状況に自らある生きている人、男性または女性から得てもよい。この試
験サンプルは好ましくは、患者から得られる、例えば血清である。
【００５８】
質量分析のためのサンプル調製
女性では、約１．３％のエストラジオールが遊離型で循環され、ここでその残りは性ホ
ルモン結合グロブリン（ＳＨＢＧ）およびアルブミンに結合されている。エストラジオー
ルは、ＳＨＢＧに対して、高い親和性（約４０％）で、またはアルブミンに対して低い親
和性で結合する。
【００５９】
サンプル中の他の成分（例えば、タンパク質）に対してエストラジオールを富化するた
めに用いられ得る方法としては、例えば、濾過、遠心分離、薄層クロマトグラフィー（Ｔ
ＬＣ）、電気泳動、例えば、キャピラリー電気泳動、アフィニティ分離、例えば、イムノ
アフィニティー分離、抽出方法、例えば、酢酸エチル抽出およびメタノール抽出、ならび
にカオトロピック剤の使用または上記の任意の組み合わせなどが挙げられる。
【００６０】
種々の方法を用いて、サンプル中のエストラジオールの総量（例えば、遊離のエストラ
ジオールおよびタンパク質に結合したエストラジオール）に対して分析が関連し得るよう
に、クロマトグラフィーおよびまたはＭＳのサンプル分析の前にエストラジオールとタン
パク質との間の相互作用を破壊してもよい。タンパク質沈殿は、試験サンプル、特に生物
学的試験サンプル、例えば、血清または血漿を調製する１つの好ましい方法である。この
ようなタンパク質精製の方法は、当該分野で周知であり、例えば、Ｐｏｌｓｏｎ  ｅｔ  
ａｌ．，Ｊｏｕｒｎａｌ  ｏｆ  Ｃｈｒｏｍａｔｏｇｒａｐｈｙ  Ｂ  ７８５：２６３〜
２７５（２００３）は、この方法での使用に適切なタンパク質沈殿技術を記載している。
タンパク質沈殿を用いて、上清にエストラジオールを残したままサンプルからほとんどの
タンパク質を除去することができる。サンプルを遠心分離して、沈殿したタンパク質から
液体上清を分離してもよい。次いで、得られた上清を液体クロマトグラフィーおよび引き
続く質量分析的な分析にあてはめてもよい。特定の実施形態では、このタンパク質沈殿、
例えば、アセトニトリルタンパク質沈殿などの使用によって、ＨＰＬＣおよび質量分析の
前の高乱流液体クロマトグラフィー（ＨＴＬＣ）または他のオンライン抽出の必要性が省
略される。このような実施形態によれば、この方法は、（１）目的のサンプルのタンパク
質沈殿を行う工程；および（２）オンライン抽出または高乱流液体クロマトグラフィー（
ＨＴＬＣ）を用いることなくＨＰＬＣ−質量分析計に上清を直接ロードする工程を含む。
【００６１】
他の好ましい実施形態では、エストラジオールは、タンパク質の沈殿をする必要なしに
タンパク質から遊離され得る。例えば、ギ酸または４０％エタノールが含有される水をサ
ンプルに添加して、タンパク質とエストラジオールとの間の相互作用を破壊してもよい。
あるいは、硫酸アンモニウムをサンプルに添加して、担体タンパク質を沈殿させることな
く担体タンパク質とエストラジオールとの間のイオン性相互作用を破壊してもよい。
【００６２】
いくつかの好ましい実施形態では、ＨＴＬＣを、単独で、または１つ以上の精製方法と
組み合わせて用いて、質量分析の前にエストラジオールを精製してもよい。このような実
施形態では、サンプルは、分析物を捕獲するＨＴＬＣ抽出カートリッジを用いて抽出して
もよく、次いでイオン化の前に第二のＨＴＬＣカラム上で、または分析的ＨＰＬＣカラム
上に溶出およびクロマトグラフィーされてもよい。これらのクロマトグラフィー手順を含
む工程は、自動的な形式で連結することが可能であるので、分析物の精製の間の操作者の
関与についての要件を最小限にすることができる。この特徴によって、時間および費用の
節約をもたらし、かつ操作者の過ちの機会を排除することができる。
【００６３】
ＨＴＬＣカラムおよび方法によって提供されるような乱流は、質量移行の速度を向上さ
せ、分離特徴を改善することができると考えられる。ＨＴＬＣカラムは、剛体粒子を含む
充填カラムを通じた高いクロマトグラフィー流速の手段によって成分を分ける。高い流速
（例えば、３〜５ｍＬ／分）を使用することによって、乱流がカラムで起こり、これが目
的の固定相と分析物（単数または複数）との間のほぼ完全な相互作用を生じる。ＨＴＬＣ
カラムを用いる利点は、生体液マトリックスと関連して構築された高分子が、高い分子量
種は乱流条件下では保持されないために避けられるということである。１つの手順で複数
の分離を組み合わせるＨＴＬＣ方法によって、長時間のサンプル調製の必要性が少なくな
り、有意に早い速度で操作される。このような方法はまた、層流（ＨＰＬＣ）クロマトグ
ラフィーよりも優れた分離能力を達成する。ＨＴＬＣによって、生物学的サンプル（血漿
、尿など）の直接注入が可能になる。変性したタンパク質および他の生体の砕片が分離カ
ラムを急速に詰まらせるため、直接注入は、クロマトグラフィーの伝統的な形態では達成
が困難である。ＨＴＬＣはまた、１ｍＬ未満、好ましくは０．５ｍＬ未満、好ましくは０
．２ｍＬ未満、好ましくは０．１ｍＬというごく少量のサンプルでも可能である。
【００６４】
質量分析による分析の前にサンプル調製にかけるＨＴＬＣの例はいずれかに記載されて
いる。例えば、Ｚｉｍｍｅｒ  ｅｔ  ａｌ．，Ｊ．Ｃｈｒｏｍａｔｏｇｒ．Ａ  ８５４：
２３〜３５（１９９９）を参照のこと；また米国特許第５，９６８，３６７号；同第５，
９１９，３６８号；同第５，７９５，４６９号；および同第５，７７２，８７４号も参照
のこと。この方法の特定の実施形態では、サンプルをＨＴＬＣカラムにロードする前に上
記のようなタンパク質沈殿に供する；別の好ましい実施形態では、このサンプルを、タン
パク質沈殿にかけることなく、ＨＴＬＣに直接ロードしてもよい。好ましくは、ＨＴＬＣ
は、ＨＰＬＣと組み合わせて用いて、サンプルをタンパク質沈殿にかけることなく、エス
トラジオールを抽出および精製する。関連の好ましい実施形態では、この精製工程は、（
ｉ）このサンプルをＨＴＬＣ抽出カラムに加える工程、（ｉｉ）エストラジオールがカラ
ムに保持される条件下でＨＴＬＣ抽出カラムを洗浄する工程、（ｉｉｉ）ＨＴＬＣ抽出カ
ラムから保持されたエストラジオールを溶出する工程、（ｉｖ）この保持された物質を分
析カラムに加える工程、および（ｖ）分析カラムから精製されたエストラジオールを溶出
する工程を含む。ＨＴＬＣ抽出カラムは好ましくは、大粒子のカラムである。種々の実施
形態では、この方法の１つ以上の工程は、オンラインで、自動的な方式で行ってもよい。
例えば、一実施形態では、工程（ｉ）〜（ｖ）をオンラインで自動方式で行う。別法では
、イオン化および検出の工程はオンラインで工程（ｉ）−（ｖ）に従って行う。
【００６５】
高速液体クロマトグラフィー（ＨＰＬＣ）等の液体クロマトグラフィー（ＬＣ）は、比
較的遅い、層流の技術に依拠する。伝統的なＨＰＬＣ分析は、カラム充填に依拠し、ここ
ではカラムを通じたサンプルの層流がサンプルからの目的の分析物の分離の基礎である。
当業者は、このようなカラムでの分離が拡散性プロセスであることを理解するであろう。
ＨＰＬＣは生物学的サンプル中の化合物の分離に首尾よく適用されているが、質量分析（
ＭＳ）での分離および引き続く分析の前には大量のサンプル調製が必要であり、そのせい
でこの技術は労働集約的になっている。さらに、ほとんどのＨＰＬＣシステムは質量分析
計をその最大能力までは利用せず、それによって１つのＨＰＬＣシステムだけを単一のＭ
Ｓ装置に接続することになり、その結果多数のアッセイを行うためには長時間が必要とな
る。
【００６６】
質量分析前にサンプルを浄化するためのＨＰＬＣの使用に関して種々の方法が記載され
ている。例えば、Ｔａｙｌｏｒ  ｅｔ  ａｌ．，Ｔｈｅｒａｐｅｕｔｉｃ  Ｄｒｕｇ  Ｍ
ｏｎｉｔｏｒｉｎｇ  ２２：６０８〜１２（２０００）；およびＳａｌｍ  ｅｔ  ａｌ．
，Ｃｌｉｎ．Ｔｈｅｒａｐｅｕｔｉｃｓ  ２２  Ｓｕｐｌ．Ｂ：Ｂ７１−Ｂ８５（２００
０）を参照のこと。
【００６７】
当業者は、エストラジオールでの使用に適切であるＨＰＬＣ装置およびカラムを選択で
きる。クロマトグラフィーカラムは典型的には、化学部分の分離（すなわち、断片化）を
容易にする媒体（すなわち、充填材料）を含む。この媒体は、微細な粒子を含む場合があ
る。この粒子は、種々の化学的部分と相互作用してその化学的部分の分離を促進する結合
された表面を備える。適切な結合された表面の１つは、アルキル結合した表面などの疎水
性結合した表面である。アルキル結合した表面は、Ｃ−４、Ｃ−８、Ｃ−１２またはＣ−
１８結合したアルキル基、好ましくはＣ−１８結合した基を含み得る。クロマトグラフィ
ーカラムは、サンプルを受容するための入口ポート、および分画されたサンプルを含む溶
出液を廃棄するための出口ポートを備える。一実施形態では、サンプル（または精製前の
サンプル）を入口ポートでカラムに加え、溶媒または溶媒混合物で溶出し、出口ポートで
排出する。異なる溶媒モードを目的の分析物を溶出するために選択してもよい。例えば、
液体クロマトグラフィーは、勾配モード、アイソクラチックモード、または多型（すなわ
ち、混合）モードを用いて行ってもよい。クロマトグラフィーの間、物質の分離は、溶出
液（「移動相」としても公知）の選択、溶出モード、勾配条件、温度などのような変数に
よって達成される。
【００６８】
特定の実施形態では、分析物は、目的の分析物がカラム充填物質によって可逆性に保持
されるが、１つ以上の他の物質が保持されない条件下でカラムにサンプルを加えることに
よって精製され得る。これらの実施形態では、目的の分析物がカラムによって保持される
第一の移動相条件を使用してもよく、そして第二の移動相条件を引き続き使用して、一旦
、保持されていない物質が洗い流されれば、カラムから保持された物質を除去してもよい
。あるいは、分析物は、目的の分析物が１つ以上の他の物質に比べて種々の速度で溶出す
る移動相条件下でカラムにサンプルを加えることによって精製され得る。このような手順
によって、サンプルの１つ以上の他の成分に対して目的の１つ以上の分析物の量が富化さ
れ得る。
【００６９】
１つの好ましい実施形態では、ＨＴＬＣの後に、疎水性カラムクロマトグラフィーシス
テムでのＨＰＬＣを続けてもよい。特定の好ましい実施形態では、Ｃｏｈｅｓｉｖｅ  Ｔ
ｅｃｈｎｏｌｏｇｉｅｓのＴｕｒｂｏＦｌｏｗ  Ｃｙｃｌｏｎｅ  Ｐ（登録商標）という
ポリマーベースのカラム（６０μｍの粒子サイズ、５０×１．０ｍｍのカラム寸法、１０
０Åの細孔サイズ）を用いる。関連の好ましい実施形態では、親水性のエンドキャップを
備える、Ｐｈｅｎｏｍｅｎｅｘ  ＩｎｃのＳｙｎｅｒｇｉ  Ｐｏｌａｒ−ＲＰ（登録商標
）エーテル連結フェニル、分析カラム（４μｍの粒子サイズ、１５０×２．０ｍｍのカラ
ム寸法、８０Åの細孔サイズ）を用いる。特定の好ましい実施形態では、ＨＴＬＣおよび
ＨＰＬＣは、移動相としてＨＰＬＣ等級の超純水および１００％ｍｐメタノールを用いて
行う。
【００７０】
バルブおよびコネクター配管を注意深く選択することによって、なんら手動の工程を要
することなく物質をあるところから次に通過させるように、２つ以上のクロマトグラフィ
ーカラムを必要に応じて連結することができる。好ましい実施形態では、バルブおよび配
管の選択を事前プログラムされたコンピューターによって制御して必要な工程を行う。最
も好ましくは、クロマトグラフィーシステムもこのようなオンラインの方式で検出システ
ム、例えばＭＳシステムに接続する。従って、操作者は、オートサンプラーにサンプルの
トレイを置いてもよく、残りの操作はコンピューター制御下で行い、選択された全てのサ
ンプルの精製および分析を行う。
【００７１】
特定の好ましい実施形態では、試験サンプル中に存在するエストラジオールをイオン化
の前に精製してもよい。特に好ましい実施形態では、クロマトグラフィーはガスクロマト
グラフィーではない。好ましくは、この方法は、質量分析の前にガスクロマトグラフィー
にエストラジオールをかけることなく行う。
【００７２】
質量分析による検出および定量
種々の実施形態では、試験サンプル中に存在するエストラジオールを、当業者に公知の
任意の方法によってイオン化することができる。質量分析は、質量分析計を用いて行い、
質量分析計には、さらなる分析のために断片化されたサンプルをイオン化し、荷電された
分子を生成するためのイオン源を備える。例えば、サンプルのイオン化は、電子イオン化
、化学的イオン化、エレクトロスプレーイオン化（ＥＳＩ）、光子イオン化、大気圧化学
イオン化（ＡＰＣＩ）、光イオン化、大気圧光イオン化（ＡＰＰＩ）、高速原子衝撃（Ｆ
ＡＢ）、液体二次イオン化（ＬＳＩ）、マトリックス支援レーザー脱離イオン化（ＭＡＬ
ＤＩ）、フィールド・イオン化、フィールド・デソープション、熱スプレー／プラズマス
プレーイオン化、表面増強レーザー脱離イオン化（ＳＥＬＤＩ）、誘導結合プラズマ（Ｉ
ＣＰ）および粒子ビームイオン化によって行ってもよい。当業者は、イオン化方法の選択
は、測定されるべき分析物、サンプルの種類、検出器の種類、正対負のモードの選択など
に基づいて決定できることを理解するであろう。
【００７３】
好ましい実施形態では、エストラジオールはエレクトロスプレーイオン化（ＥＳＩ）に
よって正または負のモードでイオン化される。関連の好ましい実施形態では、エストラジ
オールイオンは、ガス状態であり、不活性な衝突ガスはアルゴンまたは窒素である。別の
好ましい実施形態では、エストラジオールを大気圧化学イオン化（ＡＰＣＩ）によって正
または負のモードでイオン化する。
【００７４】
サンプルをイオン化した後、それによって生成された正に荷電されたイオンまたは負に
荷電されたイオンを分析して質量対電荷比を決定することができる。質量対電荷比を決定
するための適切な分析装置としては、四重極アナライザー（ａｎａｌｙｚｅｒ）、イオン
トラップアナライザー、および飛行時間アナライザーが挙げられる。このイオンはいくつ
かの検出モードを用いて検出され得る。例えば、選択されたイオンを検出してもよく（す
なわち、選択性イオンモニタリングモード（ｓｅｌｅｃｔｉｖｅ  ｉｏｎ  ｍｏｎｉｔｏ
ｒｉｎｇ  ｍｏｄｅ）（ＳＩＭ）を用いる）、あるいはイオンは、走査モード、例えば、
多重反応モニタリング（ｍｕｌｔｉｐｌｅ  ｒｅａｃｔｉｏｎ  ｍｏｎｉｔｏｒｉｎｇ）
（ＭＲＭ）または選択反応モニタリング（ｓｅｌｅｃｔｅｄ  ｒｅａｃｔｉｏｎ  ｍｏｎ
ｉｔｏｒｉｎｇ）（ＳＲＭ）を用いて検出してもよい。好ましくは、質量対電荷比は、四
重極アナライザーを用いて決定される。例えば、「四重極（ｑｕａｄｒｕｐｏｌｅ）」ま
たは「四重極イオントラップ（ｑｕａｄｒｕｐｏｌｅ  ｉｏｎ  ｔｒａｐ）」装置では、
振動高周波電界中のイオンは電極間で印加されるＤＣ電位、ＲＦシグナルの振幅および質
量／電荷比に対して比例する力を受ける。この電圧および振幅は、特定の質量／電荷比を
有しているイオンのみが四重極の長さを移動するが、他の全てのイオンが偏向されるよう
に選択され得る。従って、四重極装置は、「質量フィルター」として、および「質量検出
器」として両方で、この装置に注入されたイオンのために作用し得る。
【００７５】
当業者は、「タンデム型質量分析」または「ＭＳ／ＭＳ」を使用することによってＭＳ
技術の分解能を増強し得る。この技術では、目的の分子から生成された前駆イオン（親イ
オンとも呼ばれる）がＭＳ装置中で濾過されてもよく、この前駆イオンが引き続き、断片
化されて１つ以上の断片イオン（娘イオンまたは生成物イオンとも呼ばれる）を生じ、次
にこれが第二のＭＳ手順で分析される。前駆イオンの注意深い選択によって、特定の分析
物によって生成されるイオンのみが断片化チャンバに渡され、ここで不活性ガスの原子と
衝突して娘イオンを生じる。前駆イオンおよび断片イオンの両方が所定のセットのイオン
化／断片化条件下で再現性の方式で産生されるので、ＭＳ／ＭＳ技術は、極めて強力な分
析ツールをもたらすことができる。例えば、濾過／断片化の組み合わせを用いることによ
って妨害物質を排除することが可能で、特に、生体サンプルなどの複雑なサンプルでは有
用であり得る。
【００７６】
質量分析計は典型的には、使用者にイオンスキャン（すなわち、所定の範囲にわたって
特定の質量／電荷を有する各々のイオンの相対量（例えば、１００〜１０００ａｍｕ））
をもたらす。分析アッセイの結果、すなわち、質量スペクトルは、当該分野で公知の多数
の方法によって元のサンプル中の分析物の量に対して関連付けられ得る。例えば、サンプ
リングおよび分析パラメーターが注意深く制御されていることを考慮すれば、所定のイオ
ンの相対量を、元の分子の相対量から絶対量に変換する表と比較することができる。ある
いは、分子標準はサンプルとともに流されてもよく、標準的な曲線をそれらの標準から生
成したイオンに基づいて作製してもよい。このような標準曲線を用いて、所定のイオンの
相対量を、もとの分子の絶対量に変換してもよい。特定の好ましい実施形態では、内部標
準を用いて、エストラジオールの量を計算するための標準曲線を作製する。このような標
準曲線を作製および用いる方法は、当該分野で周知であり、かつ当業者は適切な内部標準
を選択できる。例えば、エストラジオールの同位体を内部標準として用いてもよく、特定
の好ましい実施形態では、この標準はｄ5−エストラジオールである。イオンの量をもと
の分子の量に対して関連付けるための多数の他の方法が当業者に周知である。
【００７７】
この方法の１つ以上の工程を、自動的な機械を用いて行ってもよい。特定の実施形態で
は、１つ以上の精製工程をオンラインで行い、さらに好ましくは全ての精製および質量分
析工程を、オンライン方式で行ってもよい。
【００７８】
特定の実施形態では、例えば、ＭＳ／ＭＳでは前駆イオンがさらなる断片化のために単
離され、衝突活性化解離をさらなる検出のための断片イオンを生成するために用いる場合
が多い。ＣＡＤでは、前駆イオンは、不活性ガスとの衝突、および引く続く「単分子分解
」と呼ばれるプロセスによる断片を通じてエネルギーを得る。十分なエネルギーが前駆イ
オン中に沈着されなければならず、その結果イオン内の特定の結合が振動エネルギーの増
大によって破壊され得る。
【００７９】
特に好ましい実施形態では、エストラジオールは、以下の様にＭＳ／ＭＳを用いて検出
および／または定量される。そのサンプルを液体クロマトグラフィー、好ましくはＨＴＬ
Ｃに続いてＨＰＬＣに供し、このクロマトグラフィーのカラムからの液体溶媒の流れは、
ＭＳ／ＭＳアナライザーの加熱されたネブライザーの界面に入り、その溶媒／分析物の混
合物がその界面の加熱配管中で蒸気に変換される。噴霧溶媒に含まれたその分析物（例え
ば、エストラジオール）をその界面のコロナ放電針でイオン化し、これによって噴霧され
た溶媒／分析物混合物に大きい電圧を印加する。このイオン、例えば、前駆イオンは、装
置の開口部を通過して、第一の四重極に入る。四重極１および３（Ｑ１およびＱ３）は質
量フィルターであって、それによって、その質量対電荷比（ｍ／ｚ）に基づいてイオン（
すなわち、「前駆」イオンおよび「断片」イオン）を選択することが可能になる。四重極
２（Ｑ２）は衝突セルであり、ここでイオンが断片化される。質量分析計の第一の四重極
（Ｑ１）は、エストラジオールの質量対電荷比を有する分子を選択する。エストラジオー
ルの正確な質量／電荷比を有する前駆イオンは衝突チャンバ（Ｑ２）に通ることが可能で
あるが、いかなる他の質量／電荷比を有する望ましくないイオンも四重極の横で衝突して
排除される。Ｑ２に入る前駆イオンは中性のアルゴンガス分子および断片と衝突する。こ
の過程は衝突活性化解離（ＣＡＤ）と呼ばれる。生成された断片イオンは、四重極３（Ｑ
３）に通過し、ここでエストラジオールの断片イオンが選択されるが、他のイオンは排除
される。
【００８０】
この方法は、正または負のイオンモードのいずれかで行われるＭＳ／ＭＳを必要とする
場合がある。当該分野で周知の標準的な方法を用いて、当業者は、四重極３（Ｑ３）での
選択のために用いられ得るエストラジオールの特定の前駆イオンの１つ以上の断片イオン
を特定することができる。
【００８１】
エストラジオールの前駆イオンがアルコールまたはアミン基を含む場合、前駆イオンの
脱水または脱アミノをそれぞれ呈する断片イオンが共通して形成される。アルコール基を
含む前駆イオンの場合、脱水によって形成されるこのような断片イオンは、前駆イオンか
らの１つ以上の水分子の損失によって生じる（すなわち、前駆イオンと断片イオンとの間
の質量対電荷比における相違は１つの水分子の損失について約１８、または２つの水分子
の損失について約３６などである）。アミン基を含む前駆イオンの場合、脱アミノによっ
て形成されるこのような断片イオンは、１つ以上のアンモニア分子の損失によって生じる
（すなわち、前駆イオンと断片イオンとの間の質量対電荷比における相違は、１つのアン
モニア分子の損失について約１７、または２つのアンモニア分子の損失について約３４な
どである場合）。同様に、１つ以上のアルコールおよびアミン基を含む前駆イオンは共通
して、１つ以上の水分子および／または１つ以上のアンモニア分子の損失を呈する断片イ
オンを形成する（すなわち、前駆イオンと断片イオンとの間の質量対電荷比の相違が１つ
の水分子の損失および１つのアンモニア分子の損失について約３５である場合）。一般に
は、前駆イオンの脱水または脱アミノを呈する断片イオンは、特定の分析物について特定
の断片イオンではない。従って、本発明の好ましい実施形態では、ＭＳ／ＭＳは、前駆イ
オンからの１つ以上の水分子の損失および／または１つ以上のアンモニア分子の損失のみ
を呈するのでない、エストラジオールの少なくとも１つの断片イオンが検出されるように
行われる。
【００８２】
イオンは検出器と衝突するので、イオンは、デジタルシグナルに変換される電子のパル
スを生じる。得られたデータを、コンピューターに中継して、これがイオン収集対時間の
カウントをプロットする。得られた質量クロマトグラムは、伝統的なＨＰＬＣ方法で作製
したクロマトグラムと同様である。特定のイオンに相当するピーク下面積、またはこのよ
うなピークの振幅を測定して、面積または振幅を目的の分析物（エストラジオール）の量
と相関させる。特定の実施形態では、断片イオン（単数または複数）および／または前駆
イオンの曲線下面積、またはピークの振幅を測定してエストラジオールの量を決定する。
上記のとおり、所定のイオンの相対量を、内部分子標準、例えば、ｄ5−エストラジオー
ルの１つ以上のイオンのピークに基づいた較正標準曲線を用いて、元の分析物、例えば、
エストラジオールの絶対量に変換してもよい。
【００８３】
以下の実施例は、本発明の例示に役立つ。これらの実施例は、決して本発明の範囲を限
定するものではない。
【実施例１】
【００８４】
サンプルおよび試薬の調製
血液は、添加物なしでＶａｃｕｔａｉｎｅｒ中に収集して、室温、１８〜２５℃で３０
分間凝固させた。全体的な溶血および／または脂肪血症を呈したサンプルは除外した。
【００８５】
メタノール中の１ｍｇ／ｍＬのエストラジオールのストック標準を調製して、メタノー
ル中でさらに希釈して、１，０００，０００ｐｇ／ｍＬのエストラジオール中間ストック
標準を調製し、これを用いて１０，０００ｐｇ／ｍＬの２つのエストラジオール作業標準
を調製し、Ａ標準についてはメタノールで、Ｂ標準については剥離血清で希釈した。
【００８６】
重水素化メタノール（メチル−ｄ1アルコール；Ｆｉｓｈｅｒのカタログ番号ＡＣ２９
９１３−１０００または等価物）を用いて、１ｍｇ／ｍＬのｄ5−エストラジオールスト
ック標準（２，４，１６，１６，１７−ｄ5エストラジオール）を調製し、これを用いて
１，０００，０００ｐｇ／ｍＬの中間体ストック標準を重水素化メタノールで調製した。
このｄ5−エストラジオール中間体ストック標準を用いて、ＤＩ水中で５０００ｐｇ／ｍ
Ｌの作業用ｄ5−エストラジオール内部標準を調製した。１ｍＬのｄ5−エストラジオール
中間ストック標準を、２００ｍＬのメスフラスコでＤＩ水を用いてその容積に希釈した。
【００８７】
２０％のギ酸溶液は、２５０ｍＬのメスフラスコに５０ｍＬのギ酸（約９８％純粋Ａｌ
ｄｒｉｃｈのカタログ番号０６４４０または等価物）を添加することによって調製し、こ
れを超純粋ＨＰＬＣ等級の水で容積希釈した。ＤＩ水の１００ｍＭの硫酸アンモニウム溶
液は、１０００ｍＬのメスフラスコに硫酸アンモニウム粉末（ＣＡＳ＃  ７７８３−２０
−２  Ｆｉｓｈｅｒのカタログ番号Ａ７０２−５００）を１３．２グラム添加することに
よって調製し、これをＤＩ水で容積希釈した。
【００８８】
各々の試行において用いる全てのキャリブレータ／標準物質を、剥離血清中の１０，０
００ｐｇ／ｍＬのエストラジオール標準の凍結アリコートの連続希釈から新鮮に毎週調製
した。その標準は、最高濃度から最低まで調製し、ここでは各々の標準について１０ｍＬ
の最終の総容積であった。
【実施例２】
【００８９】
液体クロマトグラフィーを用いる血清からのエストラジオールの抽出
液体クロマトグラフィー（ＬＣ）サンプルは、２００μＬの標準、コントロール、また
は患者サンプルを９６−ウェルのプレートにピペッティングすることによって準備した。
正のイオンモードでの試行の場合、３００μＬの２０％ギ酸を、各々のウェルに約１１％
（Ｖ／Ｖ）の最終濃度で送達した。負のイオンモードで試行する場合、３００μＬの１０
０ｍＭの硫酸アンモニウム溶液を各々のウェルに対して、約５７ｍＭの硫酸アンモニウム
の最終濃度で添加した。さらに、２５μＬの５０００ｐｇ／ｍＬのｄ5−エストラジオー
ル標準を各々のウェルに添加した。このサンプルをＬＣの前に３０〜４５分間室温でイン
キュベートした。
【００９０】
液体クロマトグラフィーは、Ａｒｉａ  ＯＳ  Ｖ  １．５またはそれより新しいソフト
ウェアを用いてＣｏｈｅｓｉｖｅ  Ｔｅｃｈｎｏｌｏｇｉｅｓ  Ａｒｉａ  ＴＸ−４  Ｈ
ＴＬＣシステムで行った。オートサンプラー洗浄溶液は、３０％アセトニトリル、３０％
メタノール、３０％イソプロパノール、および１０％アセトン（ｖ／ｖ）を用いて調製し
た。
【００９１】
ＨＴＬＣシステムは、大きい粒子を充填されたＴｕｒｂｏＦｌｏｗカラム（Ｃｏｈｅｓ
ｉｖｅ  Ｔｅｃｈｎｏｌｏｇｉｅｓの５０×１．０ｍｍ、６０μｍのＣｙｃｌｏｎｅ  Ｐ
カラム）中に７５μＬの上記で調製したサンプルを自動的に注入した。サンプルを高速で
ロードして（５ｍＬ／分、ローディング試薬１００％ＤＩ）、抽出カラムの内側に乱流を
形成した。この乱流によって、カラム中の大きい粒子に対するエストラジオールの最適化
結合、および残りのタンパク質および砕片の廃棄物への通過を確実にした。
【００９２】
ローディング後、流れの方向を逆転して、ループ中で２００μＬの１００％メタノール
を用いて、サンプルを分析カラム（Ｐｈｅｎｏｍｅｎｅｘ  ａｎａｌｙｔｉｃａｌ  ｃｏ
ｌｕｍｎ，Ｓｙｎｅｒｇｉ  Ｐｏｌａｒ−ＲＰ（登録商標）１５０×２．０ｍｍ、４μｍ
カラム）に溶出させた。二成分のＨＰＬＣ勾配を分析カラムに加えて、サンプルに含まれ
る他の分析物からエストラジオールを分離した。移動相Ａは超純水（ＨＰＬＣ等級）であ
って、移動相Ｂは１００％メタノールであった。ＨＰＬＣ勾配は、４０％の有機勾配で開
始し、これは約５．３３分で１００％まで傾斜した。分析物は、７７％メタノール勾配で
ＨＰＬＣカラムを溶出した。次に、分離されたサンプルをエストラジオールの定量のため
にＭＳ／ＭＳに供した。
【００９３】
他の分子との干渉を決定するために、ブランクの血清を、１６−βエストラジオールお
よび１７−αエストラジオール、ならびに以下のステロイド：エストロン、エストリオー
ル、テストステロン、１７−αヒドロキシプロゲステロン、プロゲステロン、アンドロス
テンジオン、１７−βエストラジオールグルクロニド、１７−β硫酸エストラジオール、
およびジヒドロキシテストステロンなどの同じ重量の１０００ｐｇ／ｍＬの各々のステロ
イドでスパイクした。そのサンプルをＬＣに供した。１７−αエストラジオール以外にエ
ストラジオールと同時溶出されたステロイドはなく、１７−αエストラジオールは部分的
に１７−βエストラジオールを妨害したが、操作者がその存在を容易に決定できるほど十
分に異なる保持時間であった。
【実施例３】
【００９４】
ＭＳ／ＭＳによるエストラジオールの検出および定量
ＭＳ／ＭＳは、Ｆｉｎｎｉｇａｎ  ＴＳＱ  Ｑｕａｎｔｕｍ  Ｕｌｔｒａ  ＭＳ／ＭＳ
システム（Ｔｈｅｒｍｏ  Ｅｌｅｃｔｒｏｎ  Ｃｏｒｐｏｒａｔｉｏｎ）を用いて行った
。全てがＴｈｅｒｍｏ  Ｅｌｅｃｔｒｏｎからの以下のソフトウェアプログラムを、本明
細書に記載の実施例に用いた：Ｔｕｎｅ  Ｍａｓｔｅｒ  Ｖ１．２または、それより新し
いもの、Ｘｃａｌｉｂｕｒ  Ｖ２．０  ＳＲ１、またはそれより新しいもの、ＴＳＱ  Ｑ
ｕａｎｔｕｍ  １．４またはそれより新しいもの、ＬＣＱｕａｎ  Ｖ２．０またはそれよ
り新しいもの、およびＸＲｅｐｏｒｔ  １．０またはそれより新しいもの。分析ＨＰＬＣ
カラムを出ていく液体の溶媒／分析物は、Ｔｈｅｒｍｏ  Ｆｉｎｎｉｇａｎ  ＭＳ／ＭＳ
アナライザーの加熱されたネブライザー界面に流れた。その溶媒／分析物混合物を、界面
の加熱配管中で蒸気に変換した。噴霧された溶媒中の分析物を、界面のコロナ放電針によ
ってイオン化し、これによって噴霧された溶媒／分析物混合物に電圧を印加する。
【００９５】
イオンは、第一の四重極（Ｑ１）を通過し、これにより２７１．１４±０．５ｍ／ｚま
たは２５５．０７±０．５ｍ／ｚのいずれかの質量対電荷比を有するイオンを選択した。
四重極２（Ｑ２）に入るイオンは、アルゴンガスと衝突して、イオン断片を生じ、これが
さらなる選択のために四重極３（Ｑ３）へ通過した。同時に、同位体希釈質量分析を用い
る同じプロセスを、内部標準である５−重水素化エストラジオール分子で行った。以下の
質量移行を、正の極性でのバリデーションの間の検出および定量のために用いた。
【００９６】
【表１】
2020112562.tif 000003
【００９７】
以下の質量移行は、負の極性でのバリデーションの間の検出および定量のために用いた
。
【００９８】
【表２】
2020112562.tif 000004
【実施例４】
【００９９】
アッセイ内およびアッセイ間の正確性および精度
３つの品質管理（ＱＣ）プールをチャコール剥離血清から調製して、１０、２００およ
び８００ｐｇ／ｍＬの濃度までエストラジオールでスパイクした。
【０１００】
３つのＱＣプールの各々由来の１０個のアリコートを、単独のアッセイで分析して、ア
ッセイ内のサンプルの再現性（ＣＶ）を決定した。以下の値を決定した：
【０１０１】
【表３】
2020112562.tif 000005
【０１０２】
各々の３つのＱＣプール由来の１０個のアリコートを５日にわたってアッセイして、ア
ッセイの間の再現性（ＲＳＤ％）を決定した。以下の値を決定した：
【０１０３】
【表４】
2020112562.tif 000006
【実施例５】
【０１０４】
分析の感度：検出限界（ＬＯＤ）および定量限界（ＬＯＱ）
エストラジオールのゼロ標準を、１０個の複製で行って、測定された値の方がそれにと
もなう不確実度よりも大きいポイントである、アッセイの検出限界を決めた。ＬＯＤは、
ゼロ濃度からの２標準偏差（ＳＤ）として適宜決定した。ゼロ標準についての得られたピ
ーク面積比を統計学的に分析し、ここでは０．０２１の平均値および０．００６のＳＤで
あった。エストラジオールのアッセイのＬＯＤは２．０ｐｇ／ｍＬであった。
【０１０５】
２０％の正確性および８０％〜１２０％の精度を有する定量の限界を決定するため、予
想のＬＯＱに近い濃度の５つの異なるサンプルをアッセイして、各々について再現性を決
定した。エストラジオールアッセイのＬＯＱは２．０ｐｇ／ｍＬで規定した。
【実施例６】
【０１０６】
アッセイ報告可能な範囲および直線性
アッセイ中のエストラジオール検出の直線性を確立するため、ゼロ標準に割り当てた１
つのブランク、および１１個のスパイクした血清標準を調製して、５つの別の日に分析し
た。５つの連続試行からの二次回帰で０．９９５以上という相関係数が得られ、ここでは
±２０％の精度で２〜２０００ｐｇ／ｍＬという定量可能な線形範囲が明らかになった。
【実施例７】
【０１０７】
マトリックス特異性
マトリックス特異性は、水、剥離血清およびプールした血清を用いて評価して、患者サ
ンプルが線形の方式で希釈できるか否かを決定した。このサンプルは、較正実施後に二連
で行った。正確性は以下のとおりであった：
【０１０８】
【表５】
2020112562.tif 000007
【実施例８】
【０１０９】
回収
スパイクされたサンプルからエストラジオールを回収する能力を決定するために、濃度
が既知の２例の患者サンプルを、３レベル（低、中、高）のエストラジオールでスパイク
した。回収はスパイクされた量を予想濃度で割ることによって算出した。平均回収はそれ
ぞれ低、中および高レベルで９２％、１０８％および９８％であった。
【０１１０】
本明細書において言及または引用される、論文、特許および特許出願、ならびに全ての
他の文書および電気的に利用可能な情報の内容は、あたかも各々の個々の刊行物が参照に
よって援用されると詳細にかつ個々に示されるのと同じ程度までその全体が出典明記によ
って本明細書に援用される。出願人は、任意のこのような論文、特許、特許出願または他
の物理的および電子的な文書由来の任意のかつ全ての物質および情報を本出願に物理的に
組み込む権利を留保する。
【０１１１】
本明細書に例示的に記載される方法は、本明細書に詳細に開示されないいずれの要素（
単数または複数）、制限（単数または複数）もなしに適切に実施され得る。従って、例え
ば、「含む（ｃｏｍｐｒｉｓｉｎｇ）」、「含んでいる、包含している、挙げられる（ｉ
ｎｃｌｕｄｉｎｇ）」、「含有する、含んでいる（ｃｏｎｔａｉｎｉｎｇ）」などの用語
は、広範にかつ限定なしに読みとられるべきである。さらに、本明細書に使用される用語
および表現は説明の用語として用いられており、限定ではなく、このような用語および表
現の使用において、示されかつ記載される特徴の任意の等価物またはその一部を排除する
という意図はない。種々の改変が特許請求される本発明の範囲内で可能であるということ
が認識される。従って、本発明は、本明細書に具体化される本発明の好ましい実施形態お
よび任意の特徴、修飾および変動によって詳細に記載されているが、本明細書の開示は当
業者によって頼られる場合があり、このような改変および変動は、本発明の範囲内である
とみなされることが理解されるべきである。
【０１１２】
本発明は、本明細書に広範にかつ一般的に記載されている。一般的な開示内におさまっ
ている下位の種および亜属の分類の各々も、本発明の一部を形成する。これは、本発明の
方法の一般的記述を包含しており、ただし、条件付きであるかまたは消極的な限定があり
、除外される物質が本明細書に特に引用されるか否かにかかわらず、その属からなんらか
の対象を取り除く。
【０１１３】
他の実施形態が以下の特許請求の範囲内である。さらに、本発明の特徴または局面は、
マーカッシュグループに関して記載されており、当業者は本発明がマーカッシュグループ
の任意の個々のメンバーまたはメンバーのサブグループに関して本明細書に記載されてい
ることを認識する。
【図１】
2020112562.tif 000008
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
試験サンプル中のエストラジオールの量を決定するための方法であって：
（ａ）前記試験サンプルを前記試験サンプル中に存在し得るタンパク質由来の遊離のエストラジオールに対して十分な量の試薬を用いて酸性にする工程と；
（ｂ）前記試験サンプルからエストラジオールを液体クロマトグラフィーによって精製する工程と；
（ｃ）前記試験サンプルから精製された前記エストラジオールをイオン化して、タンデム型質量分析によって検出可能な１つ以上のイオンを生成する工程と：
（ｄ）前記エストラジオールイオン（単数または複数）の量をタンデム型質量分析によって正のイオンモードで検出し、ここで前記エストラジオールイオン（単数または複数）の量が前記試験サンプル中のエストラジオールの量に対して関連付けられる工程と、
を含む上記方法。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
血漿または血清サンプル中のエストラジオールの量をタンデム型質量分析によって決定するための方法であって：
（ａ）前記血漿または血清サンプルから液体クロマトグラフィーによってエストラジオールを精製する工程と；
（ｂ）エストラジオールを負のイオンモードで大気圧化学イオン化（ＡＰＣＩ）によりイオン化して前駆イオンを生成する工程と；
（ｃ）前記前駆イオンの１つ以上の断片イオンを生成する工程と；
（ｄ）工程（ｂ）および／または工程（ｃ）で生成したイオンの１つ以上の量を検出し、前記サンプル中のエストラジオールの量に対して関連付ける工程と；を含み、
２５ｐｇ／ｍｌ以下の検出限界（ＬＯＤ）を有する、方法。
【請求項２】
前記前駆イオンが、２７１．１４±０．５の質量／電荷比（ｍ／ｚ）を有する、請求項１記載の方法。
【請求項３】
前記１つ以上の断片イオンが、質量／電荷比１８３．１０±０．５を有するイオンまたは質量／電荷比１４５．１０±０．５の質量／電荷比を有するイオンを含む、請求項１記載の方法。
【請求項４】
液体クロマトグラフィーによる精製の前に、前記サンプルに試薬を添加する工程をさらに含み、
前記試薬が、前記サンプル中に存在し得るタンパク質からエストラジオールを遊離させるのに十分な量で添加される、請求項１記載の方法。
【請求項５】
前記試薬が、塩である、請求項４記載の方法。
【請求項６】
前記塩が、硫酸アンモニウムである、請求項５記載の方法。
【請求項７】
前記サンプル中に存在するグルクロン酸化エストラジオールおよび非グルクロン酸化エストラジオールの両方の量が決定される、請求項１記載の方法。
【請求項８】
１０ｐｇ／ｍｌ以下の検出限界を有する、請求項１記載の方法。
【請求項９】
前記液体クロマトグラフィーが、高速液体クロマトグラフィー（ＨＰＬＣ）を含む、請求項１記載の方法。
【請求項１０】
前記液体クロマトグラフィーが、高乱流液体クロマトグラフィー（ＨＴＬＣ）を含む、請求項１記載の方法。